(57)【特許請求の範囲】
【請求項１】
折り曲げ状態において所定の立体の枠を形成するとともに多数の被包装物と共にシートによって包装される包装用枠体であって、
前記立体の底面の複数の角部の位置にそれぞれ設けられる複数の底部と、
展開状態において前記底面から前記立体の複数の側面が放射状に延びるように、前記底部の各々から２つずつ延びるとともに前記立体の隣り合う前記側面同士の間の部分を構成する複数の側部と、を備え、
前記底部と前記側部とは、前記展開状態と前記折り曲げ状態との間で折り曲げ可能に連結されている、
包装用枠体。
【請求項２】
前記折り曲げ状態において隣り合う前記側部の各々は互いに当接する当接面を有し、
前記当接面の各々は互いを結合する結合部を有している、
請求項１に記載の包装用枠体。
【請求項３】
前記立体は多角柱であり、
前記折り曲げ状態において前記結合部により互いに結合される前記側部の各々によって隅部が形成され、
前記底部の下面における前記隅部に対応する部位には突部が設けられている、
請求項２に記載の包装用枠体。
【請求項４】
前記底部の各々は、前記底面の複数の角部のみに設けられており、
共通の前記側面を構成する前記側部同士を連結する連結部を有し、
前記連結部は、前記側部の各々の延びる方向において前記底部から離間した位置に設けられている、
請求項１〜請求項３のいずれか一項に記載の包装用枠体。
【発明の詳細な説明】
【技術分野】
【０００１】
本発明は、例えば玩具などの多数の被包装物と共にシートによって包装される包装用枠体に関する。
【背景技術】
【０００２】
特許文献１には、風呂敷が開示されている。特許文献１に記載の風呂敷は、四角形の本体と、同本体の各角部に一端が接続された紐とを備えている。
【先行技術文献】
【特許文献】
【０００３】
【特許文献１】実用新案登録第３１７５８００号公報
【発明の概要】
【発明が解決しようとする課題】
【０００４】
ところで、形状や大きさの異なる多数の被包装物を風呂敷などのシートによって包装する場合、これら被包装物が別々に移動しやすいためにシートの包装形状が安定しにくい。そのため、シートを用いた包装作業が繁雑なものとなる。
【０００５】
本発明の目的は、形状や大きさの異なる多数の被包装物を包装する場合であってもシートによる包装を容易に行なうことができる包装用枠体を提供することにある。
【課題を解決するための手段】
【０００６】
上記目的を達成するための包装用枠体は、折り曲げ状態において所定の立体の枠を形成するとともに多数の被包装物と共にシートによって包装される包装用枠体であって、前記立体の底面に対応して設けられる底部と、前記底部から延びるとともに前記立体の各側面に対応して設けられる側部と、を備え、前記底部と前記側部とは、展開状態と前記折り曲げ状態との間で折り曲げ可能に連結されている。
【０００７】
同構成によれば、枠体と共に多数の被包装物をシートによって包装することにより、シートの包装形状が折り曲げ状態の枠体の形状、すなわち所定の立体に沿ったものとなる。したがって、形状や大きさの異なる多数の被包装物を包装する場合であってもシートによる包装を容易に行なうことができる。
【０００８】
この場合、前記折り曲げ状態において隣り合う前記側部の各々は互いに当接する当接面を有し、前記当接面の各々は互いを結合する結合部を有している、といった構成が好ましい。
【０００９】
同構成によれば、折り曲げ状態において互いに隣り合う側部の各々が当接するとともに結合部によって互いに結合される。このため、シートによって枠体を包装する際に、枠体の形状が崩れることを抑制することができる。したがって、シートの包装形状を所定の立体に沿ったものに保持することができる。
【００１０】
また、前記立体は多角柱であり、前記折り曲げ状態において前記結合部により互いに結合される前記側部の各々によって隅部が形成され、前記底部の下面における前記隅部に対応する部位には突部が設けられている、といった構成が好ましい。
【００１１】
同構成によれば、折り曲げ状態の枠体の突部を、折り曲げ状態の他の枠体の前記隅部に挿入することにより、枠体を上下に積層することができる。このため、シートによって包装された枠体を容易に搬送したり、収納したりすることができる。
【発明の効果】
【００１２】
本発明によれば、形状や大きさの異なる多数の被包装物を包装する場合であってもシートによる包装を容易に行なうことができる。
【図面の簡単な説明】
【００１３】
【図１】（ａ）は一実施形態に係る包装用枠体の展開状態を示す平面図、（ｂ）は同包装用枠体の部分拡大図。
【図２】図１（ｂ）の２−２線に沿った断面図。
【図３】折り曲げ状態の上記枠体を斜め下方から視た斜視図。
【図４】展開状態の上記枠体がシート上に載置されている状態を示す平面図。
【図５】折り曲げ状態の上記枠体がシート上に載置されている状態を示す斜視図。
【図６】シートによって上記枠体が包装された状態を示す斜視図。
【図７】２つの上記枠体が上下に積み重ねられた状態を示す断面図。
【発明を実施するための形態】
【００１４】
以下、図１〜図７を参照して、一実施形態について説明する。
図１（ａ）及び図３に示すように、包装用枠体（以下、枠体１０）は、立方体の枠を形成するものであり、立方体の底面、すなわち正方形の面の４つの角部に対応してそれぞれ設けられる底角部２０と、各底角部２０から延びるとともに立方体の各側面に対応して各一対設けられる側柱部３０とを備えている。底角部２０及び側柱部３０は、硬質合成樹脂によって一体形成されている。一対の側柱部３０の間には、同一対の側柱部３０を連結する連結部３３が設けられている。連結部３３は、側柱部３０の延びる方向における中央に位置している。
【００１５】
図１（ｂ）及び図２に示すように、底角部２０と側柱部３０との間には、Ｖ溝を有するヒンジ部４１が形成されている。したがって、底角部２０と側柱部３０とは、図１に示す展開状態と図３に示す折り曲げ状態との間でヒンジ部４１によって折り曲げ可能に連結されている。
【００１６】
また、折り曲げ状態において隣り合う側柱部３０の各々は互いに当接するように構成されている。図５に示すように、側柱部３０において隣り合う側柱部３０に当接する当接面３１は、立方体の側面に対して４５度傾斜した傾斜面とされている。また、各当接面３１には、磁力により互いを結合する磁石３２が埋め込まれている。本実施形態では、磁石３２の表面を露出させているが、磁石３２全体を側柱部３０の内部に埋設してもよい。
【００１７】
図１（ｂ）、図２、及び図３に示すように、底角部２０の下面には、三角柱状の突部２１が設けられている。
次に、本実施形態の枠体１０の使用方法及びその作用について説明する。
【００１８】
使用者は、風呂敷などのシート５０上においてブロックやミニカーなどの多数の玩具を用いた遊びを行なった後、こうした玩具を片付ける際には、図４に示すように、シート５０上に枠体１０を載置する。
【００１９】
続いて、図５に示すように、枠体１０を折り曲げ状態にするとともに、シート５０の中央部に枠体１０を載置する。なお、予め折り曲げ状態にされている枠体１０をシート５０の中央に載置してもよい。
【００２０】
続いて、図６に二点鎖線にて示すように、シート５０の端を持ち上げるなどして同シート５０の中央部、すなわち枠体１０の内部に多数の玩具（図示略）を集める。そして、シート５０の対向する角同士を結ぶことによって風呂敷を包むように枠体１０と共に玩具を包装する。このことにより、シート５０の包装形状が枠体１０の形状、すなわち立方体に沿ったものとなる。
【００２１】
また、枠体１０を使用しないときには、底角部２０に対して側柱部３０を折り曲げることにより枠体１０を展開状態（図１（ａ）参照）にすることができるため、枠体１０の体格を小さくすることができる。したがって、非使用時の枠体１０の収納性を高めることができる。
【００２２】
また、図７に示すように、折り曲げ状態において磁石３２により互いに結合される側柱部３０の各々によって隅部４２が形成される。このため、折り曲げ状態の枠体１０の各突部２１を、折り曲げ状態の他の枠体１０の各隅部４２に挿入することにより、枠体１０を上下に積層することができる。
【００２３】
以上説明した本実施形態に係る包装用枠体によれば、以下に示す効果が得られるようになる。
（１）枠体１０は、立方体の底面の４つの角部に対応して設けられる底角部２０と、底角部２０から延びるとともに立方体の各側面に対応して各一対設けられる側柱部３０と、を備え、底角部２０と側柱部３０とは、展開状態と折り曲げ状態との間で折り曲げ可能に連結されている。
【００２４】
こうした構成によれば、枠体１０と共に玩具などの多数の被包装物をシート５０によって包装することにより、シート５０の包装形状が枠体１０の形状、すなわち立方体に沿ったものとなる。したがって、形状や大きさの異なる多数の被包装物を包装して片付ける場合であってもシート５０による包装を容易に行なうことができる。
【００２５】
また、枠体１０を使用しないときには、枠体１０を展開状態にすることができるため、枠体１０の体格を小さくすることができる。したがって、非使用時の枠体１０の収納性を高めることができる。
【００２６】
（２）底角部２０は立方体の底面の４つの角部のみに対応して設けられている。また、一対の側柱部３０を連結する連結部３３は、側柱部３０の延びる方向における中央に位置している。このため、枠体１０には、立方体の底面の各辺の中央部に対応する部位が存在せず、シート５０と枠体１０との間に被包装物が挟まれにくくなる。したがって、シート５０の端を持ち上げるなどして同シート５０の中央部、すなわち枠体１０の内部に被包装物を集めやすくなる。
【００２７】
（３）折り曲げ状態において隣り合う側柱部３０の各々は互いに当接する当接面３１を有し、当接面３１の各々は互いを結合する磁石３２を有している。
こうした構成によれば、折り曲げ状態において互いに隣り合う側柱部３０の各々が当接するとともに磁石３２によって互いに結合される。このため、シート５０によって枠体１０を包装する際に、折り曲げ状態の枠体１０の形状が崩れることを抑制することができ、シート５０の包装形状を立方体に沿ったものに保持することができる。
【００２８】
（４）折り曲げ状態において磁石３２により互いに結合される側柱部３０の各々によって隅部４２が形成され、底角部２０の下面には突部２１が設けられている。
こうした構成によれば、折り曲げ状態の枠体１０の突部２１を、折り曲げ状態の他の枠体１０の隅部４２に挿入することにより、枠体１０を上下に積層することができる。このため、シート５０によって包装された枠体１０を容易に搬送したり、収納したりすることができる。
【００２９】
なお、上記実施形態は、例えば以下のように変更することもできる。
・本発明に係る底部及び側部の形状は上記実施形態において例示した底角部２０及び側柱部３０に限定されない。他に例えば、立方体の底面の四辺に沿って延びる正方形の枠からなる底部と、立方体の側面の四辺に沿って延びる正方形の枠からなる４つの側部とを備えた枠体であってもよい。
【００３０】
・突部２１を省略することもできる。
・上実施形態では、磁石３２について例示したが、結合部はこれに限られるものではない。例えば、凹凸の嵌合によって結合部を形成することができる。また、面ファスナーによって結合部を形成することもできる。
【００３１】
・枠体は立方体の枠に限られるものではなく、直方体や、三角柱や五角柱の枠に変更することもできる。また、枠体は多角柱の枠に限られるものではなく、正四面体などの多角錐であってもよい。
【００３２】
（課題を解決するための手段に関する付記）
上記課題を解決するための手段は、上記実施形態及びその変形例から把握できる技術的思想である以下の（付記項１）を含む。
【００３３】
（付記項１）
請求項１〜請求項３のいずれか一項に記載の包装用枠体と、
前記折り曲げ状態の前記包装用枠体を包装可能なシートと、を備える、
包装用具。
【符号の説明】
【００３４】
１０…枠体、２０…底角部（底部）、２１…突部、３０…側柱部（側部）、３１…当接面、３２…磁石、３３…連結部、４１…ヒンジ部、４２…隅部、５０…シート。
【図１】
0006481975.tif 000002
【図２】
0006481975.tif 000003
【図３】
0006481975.tif 000004
【図４】
0006481975.tif 000005
【図５】
0006481975.tif 000006
【図６】
0006481975.tif 000007
【図７】
0006481975.tif 000008